Podtech/llm-jp-corpus-v4-ja_patent huggingface dataset:
(57)【要約】【課題】  従来の紫外線による靴の消臭機のボックスタイプは、持ち運びができないため、外出先での消臭ができなかった。また、紫外線ランプ使用した携帯型消臭機もあるが、消費電力も多かった。さらにＬＥＤを使用した消臭機もあるが、大きく携帯には適していなかった。【解決手段】  本発明は、紫外線の光源に１個のＬＥＤを使用し、ＬＥＤカバーに紫外線を任意の方向へ集中及び拡散させるための加工を施す。また電源には単四型電池を使用し、充電用にＵＳＢ端子を使用する。電池は取り外し可能で、充電器がない所や電池の電気容量が無い場合でも入手しやすい単四型電池と交換することで使用することができる。【選択図】図１
2010253220.tif 000002
【特許請求の範囲】
【請求項１】
紫外線の光源に１個のＬＥＤを使用し、紫外線を任意の方向へ集中及び拡散させるための加工をしたＬＥＤカバーを取り付け、電源は単四型電池とし、ＵＳＢ端子を使った充電機能を備えた紫外線ＬＥＤを使った携帯用の靴用消臭機。
【発明の詳細な説明】
【技術分野】
【０００１】  本発明は、紫外線ＬＥＤを使用した携帯可能な靴の消臭機に関する。
【背景技術】
【０００２】  従来の紫外線による靴の消臭機は、靴を収納するボックスタイプがあるが、持ち運びができないため、外出先での消臭ができなかった。また、携帯型消臭機もあるが、紫外線ランプを使用しているため消費電力が多かった。さらにＬＥＤを使用した消臭機もあるが、複数の電池を使用しているため大きく携帯には適していなかった。
【特許文献１】特許公開２００４−２４８７８９
【特許文献２】特許公開２００１−８７３６７
【特許文献３】特許公開２００４−１５９７２３
【発明の開示】
【発明が解決しようとする課題】
【０００３】  以上に述べたように、従来の消臭機は外出時に携帯するには持ち運びに不便な大きさであった。
【課題を解決するための手段】
【０００４】  紫外線の光源に１個のＬＥＤを使用し、紫外線を任意の方向へ集中及び拡散させるための加工をしたＬＥＤカバーを取り付ける。また、電源は単四型電池を使用し、充電端子にはＵＳＢ端子を使用する。
【発明の効果】
【０００５】  紫外線を発する光源には、ＬＥＤを使用することにより、電気の消費量を少なくすることができる。ＬＥＤカバーは、紫外線を任意の方向に集中及び拡散させるための加工を施すことにより、効果的に紫外線を照射できる。【０００６】  電源には取替え可能な単四型電池を使用し、ＵＳＢを使った充電ができない所でも入手しやすい単四型電池と交換することで使用可能となる。【０００７】  充電端子をＵＳＢ端子とすることで、パソコンのＵＳＢ端子を利用した充電が可能となる。
【発明を実施するための最良の形態】
【０００８】  紫外線を発する光源には消費電力の少ない紫外線ＬＥＤ１を使用する。ＬＥＤカバー２には、紫外線を任意の方向に集中及び拡散させる加工をする。【０００９】  電源には、単四型電池３を使用し、単四型電池３は取り出し可能な構造とすることで、充電機がないところや電池に電気容量がない場合は、入手しやすい単四型電池と交換し使用できる。電池の充電には、ＵＳＢ端子４を使用し、パソコン５のＵＳＢ端子６およびＵＳＢ端子を持ったＡＣアダプター７を使用できる。充電時の表示用にインジケーター用ＬＥＤ８を取り付ける。【００１０】  内部には、充電保護の回路、充電制御用の回路、電圧の昇圧回路を設け、自動で消灯するためのタイマー回路を備える。さらに電力出力用のミニＵＳＢ端子９を備える。
【図面の簡単な説明】
【００１１】
【図１】紫外線消臭機  全体図
【図２】紫外線消臭機  側面図
【図３】充電接続例  パソコンＵＳＢ
【図４】充電接続例  ＡＣアダプター
【符号の説明】
【００１２】１、紫外線ＬＥＤ
２、ＬＥＤカバー
３、充電式単四電池
４、ＵＳＢ端子
５、パソコン
６、パソコンＵＳＢ端子
７、ＡＣアダプター
８、インジケーター用ＬＥＤ
９、ミニＵＳＢ端子
【図１】
2010253220.tif 000003
【図２】
2010253220.tif 000004
【図３】
2010253220.tif 000005
【図４】
2010253220.tif 000006
(57)【要約】      （修正有）【課題】従来の靴ヒモの締結方法は、依然として靴の上面前部から足首に向かって編み上げられたヒモを結ぶ方法が主流である。一部マジックテープを利用したものもあり、脱ぐという動作は簡易になってはいるが、締結の強度が不足しがちである。以上に述べた従来の締結方法では、締結に手間と時間がかり、緩める際にも結び目を解き、網目をほぐすという動作が必要である。【解決手段】ヒモの代わりに幅広のバンド２とバックル３を使用する事により、締結した靴ヒモが不用意に緩まず、かつ緩めたいときは極めて簡単に緩めることができ、確実で着脱の容易な機構を備えた靴を提供できる。【選択図】図１
2010253224.tif 000002
【特許請求の範囲】
【請求項１】
従来靴ヒモがある部分にベルトがあり、バックルを使用して締結を行う機構を備えた靴
【発明の詳細な説明】
【技術分野】
【０００１】  本発明は靴ヒモの締結に代わる、確実な締結と着脱の容易性を図った靴に関する。
【背景技術】
【０００２】  従来の靴の締結方法は、依然として靴の上面前部から足首に向かって編み上げられたヒモを結ぶ方法が主流である。一部マジックテープを利用したものもあり、脱ぐという動作は簡易になってはいるが、締結の強度が不足しがちである。
【発明の概要】
【発明が解決しようとする課題】
【０００３】  以上に述べた従来の締結方法では、締結に手間と時間がかり、緩める際にも結び目を解き、網目をほぐすという動作が必要である。
【課題を解決するための手段】
【０００４】  本発明は、ヒモの代わりに幅広のバンドとバックルを使用する事により、従来の靴ヒモによる締結時の着脱の煩雑さを、容易にすることを目的とする。
【発明の効果】
【０００５】  本発明の靴は、締結した靴ヒモが不用意に緩まず、かつ緩めたいときは極めて簡単に緩めることができ、確実で着脱の容易な機構を備えた靴を提供できる。
【図面の簡単な説明】
【０００６】
【図１】本発明の全体図（バックルを閉めた時）
【図２】同全体図（バックルをゆるめた時）
【図３】同バックル、ベルトの動き
【発明を実施するための形態】
【０００７】  図３のように、１のくつに足を入れた後、２のベルトを矢印方向に引くと締まり、靴を簡単に履くことができる。また、緩めるときは、３のバックルのつまみを矢印方向へ押し倒すと２のベルトは容易に緩み、迅速に靴を脱ぐことができる。
【０００８】  ２のベルトは５の部分で靴に縫製または取り付けられている。また３のバックルをくぐり、締結を行う。
【０００９】  ４のベルトは輪状になっていて３のバックルと靴を繋ぎ、靴に縫製または取り付けられている。
【図１】
2010253224.tif 000003
【図２】
2010253224.tif 000004
【図３】
2010253224.tif 000005
(57)【要約】【課題】  本発明は、長時間の正座姿勢を保持しても、人体の骨への悪影響がないようなことを特徴とする反り板正座椅子に関するものである。【解決手段】  人体ヒップ仙骨が自然に納まる形状の反り板座部を中央より切り離し、改めて蝶つがい、または皮材等で連結し、反り板座部の裏面に脚部装着金具を取り付け、Ｘ型折り畳み脚をＸ型に開いた時縮むことを防ぐための折り畳み式になった脚部補強制御材を設け、Ｘ型折り畳み脚部の床接着面に脚部安定クッション材を設けたことを特徴とする。【選択図】図１
2010253223.tif 000002
【特許請求の範囲】
【請求項１】
人体ヒップ仙骨が自然に納まる形状の反り板座部を中央より切り離し、改めて蝶つがい、または、皮材等で連結する。
反り板座部の裏面に脚部装着金具を取り付け、Ｘ型折り畳み脚をＸ型に開いたとき、縮むことを防ぐための折り畳み式になった脚部補強制御材を設ける。
Ｘ型折り畳み脚部の床接着面に脚部安定クッション材を設ける。
以上を特徴とする反り板正座椅子。
【発明の詳細な説明】
【技術分野】
【０００１】  本発明は、人前で平気で簡単にあぐらになったり、足の痺れを防ぐため、変な座り方をするために、座骨を圧迫し、骨盤、背骨、仙骨等への悪影響で、骨の変形、ひいては様々な病気の原因ともなる。
コンパクト化を追求するあまり、ヒップがスッポリ納まるような安定感が犠牲にされ、傾斜角、高さの調節を何度もやり直す必要があり面倒になってつい適当にセットしてしまう。
本発明は、長時間の正座姿勢を保持しても、人体の骨への悪影響がないようなことを特徴とする反り板正座椅子に関するものである。
【背景技術】
【０００２】  従来、近年、男女を問わず、正座の出来ない人が多くなっている。
正座は、一般的には背筋を伸ばし、姿勢が良くなると言われている。
ところが、その一方正座は上半身の重量が大きくのしかかり、そのため、足の痺れを始め、腰痛、血液の循環を悪くすると言われ、男女共に正座を嫌っている傾向にある。
また、近年、使用者本人に適した正座椅子を求め選ぶ志向がある。
コンパクト化、軽量化が主流であり、傾斜角、および高さ等を調節できるものや小型化したような正座椅子もある。（特許文献１参照）
【特許情報文献】
【０００３】
【特許文献１】  特開２００１−１１２５７９号公報
【発明の概要】
【発明が解決しようとする課題】
【０００４】  そのため、次のような問題点があった。
人前で平気で簡単にあぐらになったり、足の痺れを防ぐために変な座り方をするので、次のような問題点があげられる。
まず、座骨を圧迫し、骨盤、背骨、仙骨等への影響が大きく、骨の変形ひいては様々な病気の原因ともなる。
従来の椅子は、コンパクト化を追求するあまり、ヒップがスッポリ納まらず安定感が犠牲にされ、傾斜角、高さの調節を何度もやり直す必要があるので面倒になってつい適当にセットしてしまう。
本発明は、以上の問題点を解決しようとするものである。
【課題を解決するための手段】
【０００４】  人体ヒップ仙骨が自然に納まる形状の反り板座部を中央より切り離し、改めて蝶つがい、または、皮材等で連結する。
反り板座部の裏面に脚部装着金具を取り付け、Ｘ型折り畳み脚を嵌め込む。
Ｘ型折り畳み脚をＸ型に開いたとき、縮むことを防ぐための折り畳み式になった脚部補強制御材を設ける。
Ｘ型折り畳み脚部の床装着面に脚部安定クッション材を設ける。
以上のように構成された反り板正座椅子。
【発明の効果】
【０００５】  本発明は、反り板面の柔らかい曲線と凹みの中に人体のヒップ部がスッポリ納まり非常に心地良い安定感が得られる。
また、傾斜角や高さの調節を何度もやり直したりする面倒が省ける。
反り板底部の程良い凹みによって自然にできる隙間のために座骨が圧迫されることなく、骨盤・背骨・仙骨等への悪影響がなくなり、少々長い時間でも背筋をピンと伸ばしきれいな姿勢を取り続けることができ足の痺れも全く生じない。
【図面の簡単な説明】
【０００６】
【図１】  本発明の斜視図である。
【図２】  本発明の使用する前の分解した状態を示した斜視図である。
【図３】  本発明の使用状態を示した説明図である。
【図２】  本発明の使用状態を示した説明図である。
【発明を実施するための形態】
【０００７】  以下、本発明の実施の形態について説明する。
反り板座部（１）の裏面に脚部装着金具（５）を取り付ける。
反り板座部（１）を中央より切り離し、改めて蝶つがい、または、皮材を用いた反り板連結部（７）で連結する。
Ｘ型折り畳み脚（９）をＸ型に開いたとき、縮むことを防ぐための折り畳み式になった脚部補強制御材（４）を設ける。
Ｘ型折り畳み脚部（９）の床接着面に脚部安定クッション材（６）を設ける。
反り板座部（１）の裏面の脚部装着金具（５）と、Ｘ型折り畳み脚（９）を嵌め込む。
以上のように構成された反り板正座椅子である。
本発明の使い方を説明する。
本発明を使用するときは、まず二つ折になっている反り板座部（１）を開き、Ｘ型折り畳み脚（９）を脚部装着金具（５）に嵌め込む。
Ｘ型折り畳み脚部（９）をＸ型に開くとそれに伴って自然と脚部補強制御材（４）も開いていき脚部補強制御材（４）が開ききったところでＸ型折り畳み脚部（９）全体が縮む心配なく固定される。
やわらかなスロープ状の反り板座部（１）の上に人体ヒップ（８）を乗せると座骨部は反り板座部（１）に接着することなく自然に少し浮き上がった状態になり、仙骨（３）や骨盤（１０）等への圧迫感がなく長時間きれいな姿勢を保持できる。
図３は、本発明の使用状態を示した説明図で、後姿（２）、人体ヒップ（８）を表現している。
図４は、本発明の使用状態を示した説明図で、後姿（２）、仙骨（３）、人体ヒップ（８）、骨盤（１０）を表現している。
【符号の説明】
【０００８】１  反り板座部
２  後姿
３  仙骨
４  脚部補強制御材
５  脚部装着金具
６  脚部クッション材
７  反り板連結部
８  人体ヒップ
９  Ｘ型折り畳み脚
１０  骨盤
【図１】
2010253223.tif 000003
【図２】
2010253223.tif 000004
【図３】
2010253223.tif 000005
【図４】
2010253223.tif 000006
【手続補正書】
【提出日】平成21年7月7日(2009.7.7)
【手続補正１】
【補正対象書類名】明細書
【補正対象項目名】０００６
【補正方法】変更
【補正の内容】
【０００６】
【図１】  本発明の斜視図である。
【図２】  本発明の使用する前の分解した状態を示した斜視図である。
【図３】  本発明の使用状態を示した説明図である。
【図４】  本発明の使用状態を示した説明図である。
(57)【要約】【課題】出掛け先にてブーツを脱ぐ際、だらりと広がり見た目にもよくない。  本発明は、外出先においても、ブーツを奇麗に置くことができる携帯用のブーツクリップを提供する。【解決手段】二股に分かれた本体足部それぞれの内側に、自在に長さ調節できる伸縮棒を取り付ける。足部の上部中央に持ち手を設け、持ち手の上部中央に引っ掛け部を設ける。足部内側の上部寄りの一定の位置に向かい合わせに突起部を設ける。伸縮棒それぞれの先端に安定板を設ける。【選択図】図４
2010253228.tif 000002
【特許請求の範囲】
【請求項１】
二股に分かれた本体足部それぞれの内側に、自在に長さ調節できる伸縮棒を取り付け、足部の上部中央に持ち手を設け、持ち手の上部中央に引っ掛け部を設け、足部内側の上部寄りの一定の位置に向かい合わせに突起部を設け、伸縮棒それぞれの先端に安定板を設けたことを特徴とする携帯兼用ブーツクリップ。
【発明の詳細な説明】
【技術分野】
【０００１】  本発明は、出掛け先にてブーツを脱ぐ際にも奇麗に置いておけれる携帯ブーツクリップに関するものである。
【背景技術】
【０００２】  従来においては、ブーツを直立状に保持し収納可能なもの、また消臭付のブーツスタンドは知られている。
【先行技術文献】
【０００３】
【特許文献１】  特開２００４−３５８１６６号公報
【特許文献２】  特開２００５−１５２５７２号公報
【特許文献３】  特開２００５−３２９１４６号公報
【特許文献４】  特開２００６−２３０８７８号公報
【特許文献５】  特開２００７−１３６１２９号公報
【特許文献６】  実用新案出願２００５−１８０７号公報
【発明の概要】
【発明が解決しようとする課題】
【０００４】  出掛け先にてブーツを脱ぐ際、次のような問題点があった。
特にロングブーツの場合、脱いだ場所にだらりと広がり通常の靴と比較すると場所も広くとってしまい見た目にもよくない。
本発明は、以上の問題点を解決するものである。
【課題を解決するための手段】
【０００５】  二股に分かれた本体足部それぞれの内側に、自在に長さ調節できる伸縮棒を取り付ける。足部の上部中央に持ち手を設け、持ち手の上部中央に引っ掛け部を設ける。足部内側の上部寄りの一定の位置に向かい合わせに突起部を設ける。伸縮棒それぞれの先端に安定板を設ける。
本発明は、以上を特徴とする携帯兼用ブーツクリップである。
【発明の効果】
【０００６】  本発明により、脱いだブーツは形が崩れることなく奇麗に保持され、見苦しく場所をとることもない。また携帯時の形のままでそのままブーツ以外に使用することもできる。
【図面の簡単な説明】
【０００７】
【図１】  本発明の携帯時の斜視図
【図２】  本発明の使用時の斜視図
【図３】  本発明の分解正面図
【図４】  本発明の使用状態を示す斜視図
【発明を実施するための形態】
【０００８】  以下、本発明の実施の形態を説明する。
（イ）本体（１）の二股に分かれた足部（３）それぞれの内側に自在に長さ調節できる伸縮棒（７）を取り付ける。
（ロ）足部（３）の上部中央に持ち手（４）を設け、持ち手（４）の上部中央にひっ掛け部（５）を設ける。
（ハ）足部（３）内側の上部寄りの一定の位置に向かい合わせに突起部（２）を設ける。
（ニ）伸縮棒（７）それぞれの先端に安定板（６）を設ける。
本発明は、以上の構成よりなり、本発明を使用する場合は、外出先等においてブーツを脱ぐ場合にブーツの長さに応じて、  伸縮棒（７）を調節し、伸縮棒（７）をブーツに挿入し、安定板（６）により安定させ、突起部（２）でブーツを各々はさみしっかりとした形に固定する。
また、引っ掛け部（５）は、キーホルダー等をかけて鞄の中より取り出しやすくする役目もある。
また、ブーツ以外に手袋・帽子・靴下・マスク・ヘアーゴム等を突起部（２）にはさんだり、本体（１）の長い足部（３）に各々はさんで、鞄の中の小物整理用具として使用することもできる。その他、持ち手（４）の根元部に、ヘアーゴム等をかける等の利用もできる。
【符号の説明】
【０００９】  （１）本体、  （２）突起部、  （３）足部、  （４）持ち手、  （５）引っ掛け部、  （６）安定板、  （７）伸縮棒
【図１】
2010253228.tif 000003
【図２】
2010253228.tif 000004
【図３】
2010253228.tif 000005
【図４】
2010253228.tif 000006
(57)【要約】      （修正有）【課題】オムツ着用の不快感を無くすため、オムツを着用しないで排泄出来る様、尿器付きトイレを設けた介護用マットを提供する。【解決手段】臥床患者がオムツを着用しないで排泄出来る様、介護用マット３に、尿器１付きトイレ２を設けた介護用マット３を設ける。オムツを着用しないでベッド上で排泄出来、オムツ着用の不快感が無く、快適に過ごすことが出来る。【選択図】図１
2010253226.tif 000002
【特許請求の範囲】
【請求項１】
（イ）介護用マットに交換可能な尿器付きトイレを設ける。
【発明の詳細な説明】
【技術分野】
【０００１】  本発明は、臥床患者がオムツを着用しないで、臥床した状態で排泄出来る尿器付きトイレを設けた介護用マットに関するものである。
【背景技術】
【０００２】
【先行技術文献】
【特許文献】
【０００３】
【非特許文献】
【０００４】
【発明の概要】
【発明が解決しようとする課題】
【０００５】  以前は、次のような欠点があった。
オムツを着用した臥床患者にとって、オムツ内の排泄物が肌に接触している状態は不快でならない。
本発明は、以上のような欠点をなくすためになされたものである。
【課題を解決するための手段】
【０００６】    介護用マットに、交換可能な尿器付きトイレを設ける。
本発明は、以上の構成よりなる尿器付きトイレを設けた介護用マットである。
【発明の効果】
【０００７】  介護用マットに尿器付きトイレを設けてあるので、オムツを着用しないでベッド上で排泄出来、オムツ着用の不快感が無く、快適に過ごすことが出来る。
【図面の簡単な説明】
【０００８】
【図１】  本発明の全体を示した側面図である。
【図２】  本発明の尿器を示した立体図である。
【図３】  本発明の尿器を示した平面図である。
【図４】  本発明のマットを示した平面図である。
【図５】  本発明のトイレ付き尿器を使用しない場合を示した平面図である。
【発明を実施するための形態】
【０００９】  以下、本発明を実施するための最良の形態について説明する。
介護用マットに、交換可能な尿器付きトイレを設ける。
尿器とトイレは接続しており、尿器は肌に優しい防水素材を使用する。
介護用マットは、エアーマットなどあらゆるマットに対応出来る。
トイレはマットの傾斜に合わせ、対応出来る。
トイレを使用しない時は、普通のマットとして使用できる。
本発明は、以上のような構造である。
【産業上の利用可能性】
【０００１０】
【符号の説明】
【０００１１】  １  尿器
２  トイレ
３  マット
４  伸縮物
５  穴
６  スペアマット
【受託番号】
【０００１２】
【配列表フリーテキスト】
【図１】
2010253226.tif 000003
【図２】
2010253226.tif 000004
【図３】
2010253226.tif 000005
【図４】
2010253226.tif 000006
【図５】
2010253226.tif 000007
(57)【要約】【課題】 全ての身体に合わせて寝床の型が変る寝具の提供。無反発型にし体圧を分散し床ずれを防止し、理想的な寝姿での睡眠。横に寝ても背骨の歪みや肩にかかる過度の圧迫を無くす。人体が動くことにより、体のマッサージ効果が得られ保温性も良好。【解決手段】通常のベットマットレスと同寸程度の箱状ケースに、直径３cm〜５cmのほぼ球状の玉を、そこに人が入ってもこぼれない程度入れる。その上に人が寝る事により球状の玉が体の形に合せ包み込むように移動し体圧分散しながらささえる。寝返りなど動くことにより球状の玉が体のつぼを刺激しマッサージをする。球状の玉どうしの空隙により保温性を良好にする。頭の部分には布を敷き頭を傷めない様にする。【選択図】  図１
2010253140.tif 000002
【特許請求の範囲】
【請求項１】
直径３cm〜５cmのほぼ球状の玉を箱状ケース敷き詰めたことを特徴とする寝具。
【発明の詳細な説明】
【技術分野】
【０００１】
本発明は寝床の型が体形により変わる理想の寝具に関するものである。
【背景技術】
【０００２】
体圧分散寝床の中で無反発の物は無く体圧の部分的集中が出ていた。
【０００３】
この改善策として球状の玉を寝床に敷詰める事により完全に体形に追従する無反発の寝床とし、体圧を均等に分散する事ができた。
【発明の概要】
【発明が解決しようとする課題】
【０００４】
全ての身体に合わせて寝床の型が変る寝具の提供。無反発型にし体圧を分散し床ずれを防止し理想的な寝姿での睡眠。横に寝ても背骨の歪みや肩にかかる過度の圧迫を無くす。人体が動くことにより、体のマッサージ効果が得られ保温性も良好。
【課題を解決するための手段】
【０００５】
直径３cm〜５cmのほぼ球状の玉を箱状ケース敷き詰めたことを特徴とする寝具。
【発明の効果】
【０００６】
本発明品の寝具を用いることにより完全体形追従型無反発耐圧分散の寝床を可能にした。
【図面の簡単な説明】
【０００７】
【図１】本発明の寝具の使用状態を示す図。
【図２】本発明の寝具の縦断面図を示す。
【発明を実施するための形態】
【０００８】
本発明品は簡単な箱状ケースとほぼ球状の玉のみで寝具を作ることができる。
【実施例】
【０００９】
図を用いて説明する。図１は、本発明の寝具の使用例を示す外観図である。図２は箱状ケースを縦断した図である。箱状ケースは人体が半分以上埋まる大きさから長さ２．１ｍ、幅１ｍ、深さ０．５ｍとし板厚は５ｃｍとした。球状の玉は断熱効果、軽さからバルサ材を用い、球状は４ｃｍとした。箱状ケースの大きさは任意に選べば良く、球状の玉は体圧分散、マッサージ効果、口に入らない為からして球形３〜５ｃｍが適当である。本発明の寝具を用いることにより完全に体形に追従する無反発の寝床とし、体圧を均等に分散する事ができる。
【産業上の利用可能性】
【００１０】
寝具産業において利用できる。
【符号の説明】
【００１１】
１  寝具
２  箱状ケース
３  球状の玉
【図１】
2010253140.tif 000003
【図２】
2010253140.tif 000004
(57)【要約】【課題】スリングに用いるリングは、乳幼児またはペットをスリングのポーチ部分に入れている時は滑ってずれ落ちやすいので、ポーチ部分の形を保持することが困難である。あるいは、滑らないようにするため、リングの大きさを小さくすると、布が動かしにくくなり、スリングからの乳幼児またはペットの着脱やポーチ部分の調整が面倒であった。【解決手段】リングの断面は楕円形にし、リングの内側３にシボをつけることにより、布とリングの食い込みや摩擦が生じることによって、スリング使用時には乳幼児またはペットの体重により滑り落ちることがなく、ポーチの形を保持することが可能となった。また、リングの外側４にはシボをつけずに光沢を残すことで、着脱時には布が動かしやすくなった。【選択図】図１
2010253147.tif 000002
【特許請求の範囲】
【請求項１】
リングの断面を楕円形にしたことを特徴とするスリング専用リング。
【請求項２】
リングの材質をナイロン樹脂にして、リングの内側半分にだけシボをつけたことを特徴とする請求項１記載のスリング専用リング。
【発明の詳細な説明】
【技術分野】
【０００１】
本発明は、乳幼児用またはペット用のスリングのリングに関するものである。
【背景技術】
【０００２】
スリングに用いる従来のリングの形状は、断面が円形又は突起物の付いた土星系である。材質はステンレス又はアルミニウムの金属製かナイロン樹脂製のものである。
【０００３】
スリングに用いるリングは、長い布の一方の端にリングを２つ併せて通し、環状に形成して縫いつけ、もう一方の布の端を２つのリングに適宜通す。スリングのポーチ部分に乳幼児またはペットを入れてポーチ部分の大きさを調整し、乳幼児またはペットをポーチ部分に入れている時にはその形を保持する。また、乳幼児またはペットをスリングから降ろす時にはポーチ部分を緩めるための調整に使用するものである。
【発明の概要】
【発明が解決しようとする課題】
【０００４】
しかしながら、以上の技術によれば、スリングのポーチ部分に乳幼児またはペットを入れた場合は乳幼児またはペットの体重により布が滑りやすく、ずれ落ちやすいのでポーチ部分の形を保持することが困難である。逆に、滑りにくくするためにリングの大きさを小さくすると、乳幼児またはペットをスリングから降ろす時やスリングのポーチ部分の大きさを調整する時には、布を動かしにくく、着脱が面倒であった。
【０００５】
そこで本発明は、スリングのポーチ部分に乳幼児またはペットを入れた場合はすべりにくくずれ落ちにくい、ポーチ部分の形を保持することを可能とし、乳幼児またはペットをスリングから降ろす時やスリングのポーチ部分の大きさを調整する時には布を動かしやすくし、着脱が速やかに操作できるためのリングを提供することを課題とする。
【課題を解決するための手段】
【０００６】
以上の課題を解決するための第一発明は、リングの断面を楕円形にしたことを特徴
とするスリング専用リングである。
また、第二発明は、リングの材質をナイロン樹脂にして、リングの内側半分にのみシボをつけたことを特徴とするスリング専用リングである。
【発明の効果】
【０００７】
第一発明によれば、リングの断面を楕円形にしたことで、２つ併せた時のリングの接地面が広くなることによって、布がリングに食い込みやすくなり、スリングのポーチ部分に乳幼児またはペットを入れた場合は滑りにくくずれ落ちにくくなるため、ポーチの形を保持することが可能となる。
また、第二発明によれば、リングの内側のシボと布の間に摩擦が生じることで、スリングのポーチ部分に乳幼児またはペットを入れた場合は布が滑りにくくずれ落ちにくいため、ポーチ部分の形を保持できるが、リングの外側の光沢部分は布との摩擦が少なくなり布が滑りやすくなるので、乳幼児やペットをスリングから降ろす時やスリングのポーチ部分の大きさを調整する時には布を動かしやすく速やかな操作が可能となる。
【図面の簡単な説明】
【０００８】
【図１】この発明の一実施形態を示す正面図である
【図２】この発明の一実施形態を示すＸ−Ｙ線断面図の拡大図である。
【発明を実施するための形態】
【０００９】
この発明の一実施形態を、図１に示す。
スリング専用リングはナイロン樹脂製であり、直径は外径１が８５．０ミリメートル、内径２は６５．４ミリメートルである。内側半分３にはシボをつけ、残りの外側半分４にはシボをつけないので表面の凹凸がなく光沢がある。
図２は、図１のＸ−Ｙ断面拡大図である。
スリング専用リングの断面は、縦５が９．８ミリメートル、横６が９．２ミリメートルの楕円形である。
【００１０】
この実施形態によれば、スリング専用リングの断面が楕円形であることと、スリング専用リングの内側にのみシボを付けたことにより、布が滑りにくくずれ落ちにくくなるため、スリングのポーチ部分に乳幼児またはペットを入れた場合はポーチ部分の形を保持できる。
また、スリング専用リングの外側にはシボをつけず、表面に凹凸のない光沢を残すことにより、乳幼児またはペットをスリングから降ろす時やスリングのポーチ部分の調整をする時には布を動かしやすく速やかな操作ができるという、相反することが可能となった。
【００１１】
スリングの布幅が約８０センチメートルから１１０センチメートルであるのに対し、スリング専用リングの大きさは適当である。
【符号の説明】
【００１２】
１  スリング専用リングの外径
２  スリング専用リングの内径
３  スリング専用リングの内側のシボ部分
４  スリング専用リングの外側の光沢部分
５  リング断面図の縦
６  リング断面図の横                       
【図１】
2010253147.tif 000003
【図２】
2010253147.tif 000004
(57)【要約】【課題】磁気による水質の活性化と、納豆菌による水質の浄化を一体的に行える装置による経費削減と収益の増大、そして食の安全の実現を目的とする。【解決手段】磁気による水質の活性化装置と納豆菌による水の浄化装置を一連化させ、水槽等の清掃管理の軽減と有害菌やウイルス等の繁殖の抑制、そして水質の活性化により対象魚介類等の健康維持と成長促進及び環境汚染軽減を実現できる。【選択図】図２
2010253456.tif 000002
【特許請求の範囲】
【請求項１】
磁気を利用し水の活性化させる作用と、納豆菌による水を浄化させる作用を利用し、この２つを一連化させた装置により、水槽や池等の清掃管理を軽減し、有害菌やウイルス等の繁殖の抑制と、水質の活性化による対象魚介類等の健康維持と成長促進をはかり、コスト軽減と収益率向上及び環境汚染軽減を実現できる。
【発明の詳細な説明】
【技術分野】
【０００１】  本発明は、水の浄化及び活性化する装置に関するものである。
【背景技術】
【０００２】  魚介類の飼育水槽や養殖池等の水質は非常に汚染されており、さらに不純物により水のクラスタの大きさは様々な大きさと形状となっている。
現状の浄水装置を使用し、飼育や養殖を行っているだけでは、頻繁に清掃等をしなければならず、魚介類の成長や生存率にも問題があり、手間とコストが掛っております。【０００３】  水質浄化に関しては、一般にフィルターを採用する方法が多く、別に各種の有益菌を採用している物もあり、今回は特に環境に配慮し水質の浄化作用には実績がある納豆菌を利用するが、水自体の活性化はされていない。【０００４】  水の活性化に関しては、水のクラスタを微小化と均一化させるため磁気を利用し、磁気による水質の活性化は既に開発使用されているが、浄化機能は実現できていない。
【発明の概要】
【発明が解決しようとする課題】
【０００５】  解決しようとする問題点は、水槽や養殖池の水質の浄水管理には多くの手間と時間がかかっているが効果が薄く、対象魚介類の健康状態維持と成長促進による生産性の向上、及び青子（藻）等の発生の軽減を同時に効率的に行い、手間の圧縮及びコストの縮小が実現される。
【課題を解決するための手段】
【０００６】  本発明は、磁気による水質改善と納豆菌による水質浄化を一体的に行える事を最も主要な特徴とする。
【発明の効果】
【０００７】  磁気による活性化作用とさらに納豆菌による浄化作用を一体化させる事により、水槽等の清掃管理を軽減し、有害菌やウイルス等の繁殖を抑制でき、水質の活性化により対象魚介類等の健康維持と成長促進という利点があり、コスト軽減と収益率向上につながり、食用魚介の場合は味の良さ及び食の安心に貢献できる。
【図面の簡単な説明】
【０００８】
【図１】図１は浄化活性水装置の実施方法を示した説明図である。（実施例１）
【図２】図２は浄化活性水装置の実施方法を示した説明図である。（実施例２）
【発明を実施するための形態】
【０００９】  入水の経路は２系統あり、水槽や池から直接ポンプにより汲み上げられた汚れた水と上水等からの足し水を、ハウジング内または可能な限りハウジング側端部に近い位置に磁石を設置し磁場による水質の改善（活性水化）を実現した。
【００１０】  水質の改善（活性化）された水をさらに、納豆菌で不純物を分離除去する事により浄水効果を実現した。
【００１１】  ２系統の入水経路の水を磁気作用により活性化し、納豆菌の不純物分離除去作用により浄水をする事が一体的に実現され、さらに水槽や池に戻す経路に磁気を配置する事により、完成度の高い浄化活性水として完成した。
【産業上の利用可能性】
【００１２】  個人や企業団体に利用されている水槽や飲食店等の生簀、そして魚介類養殖事業者の養殖池等の水の浄化活性用途にも適用できる。
【図１】
2010253456.tif 000003
【図２】
2010253456.tif 000004
(57)【要約】【課題】  光触媒を利用した浄水システム装置．【解決手段】  これまでの薬物利用の浄水装置ではなく、光触媒を利用した装置であり、健康にやさしい浄水システムである。【特許請求の範囲】
【請求項１】
光触媒内蔵浄水化パイプ管を利用した浄水システム装置。
【請求項２】
光触媒と光エネルギー発生装置を内蔵した浄水化パイプ管。
【発明の詳細な説明】
【技術分野】
【０００１】  本装置は、１本のガラス等のパイプ管の中に光触媒ネットと光エネルギー発生装置を１体化したもので、その中に一般水を滴下、流水することで、殺菌、浄化された浄水を精製することを可能とする様に考案した。
あくまで、システムとしての装置考案である。（図１参照）【０００２】  上記のパイプ管（図２参照）は、光透過性の優れたガラス管等で作製する。
このパイプ管を複数平行に並べて、浄水化できる水の量を増して、効率的に浄水化が出来るように配慮した装置である。（図３参照）【０００３】  パイプ管内の光触媒は、微細目のネット状として、光エネルギーを効率的に取り入れ、反応させる様に考慮し、ネット目を透過した光を効果的に取込むことが出来るように、複層とした。（図２参照）【０００４】  パイプ管の下部外側を鏡面仕上（パイプ管内側だと、浄水を汚染する可能性がある）として、光触媒ネット層を透過した光エネルギーを反射させて、再利用することで、効率を良くする様に計った。（図２参照）【０００５】  パイプ管の上部には、着脱可能な鏡面反射カバーを装着することで、少しでも効果を良くするようにした。（図２参照）
着脱可能としたのは、自然太陽光エネルギーの利用も可能となるように考慮した。【０００６】  パイプ管内の余剰熱の対策として、光エネルギー発生装置管内は、上部の通気穴より放出し、浄水化管内の余剰熱は、管内発生気体と共に、パイプ管終端部より吸気して、分留装置により有効に個別成分として分留する。（図２、図３参照）【０００７】  浄化しようとする一般水（汚染度の少ない、少し浄化の必要な程度の一般水）は、一旦一般水槽へ貯留され、浄化フィルター等の浄化装置により、浄化した後、浄水化パイプ管取入口より少量ずつ、最大効果を得るように浄水化し、パイプ管終端部より滴下して、浄化フィルターを通して、浄化第１水溜に溜められ、ポンプにより浄化第２水槽へ送られる。浄化第２水槽では、更に浄化装置により浄水化されて、最終浄水として利用される。（図１参照）【０００８】  浄水化パイプ管の上部は、ガラスカバー等により、外気より保護、防塵される。（図１参照）【０００９】  本システム装置は、基本的に光エネルギー発生装置の光エネルギーを利用して浄水化を行うが、パイプ管上部の鏡面反射カバーを取り外すことで自然光での利用も可能であり、より発展させて、光触媒エネルギー発生装置をなくして、装置を構成すれば、自然太陽光利用専用システムとしてム装置を計画することも可能である。【００１０】  本装置は、取入流量の設定が重要な効率化要因となる。【００１１】  その他、装置の材質、構成、組立計画を検討して、他の溶液の浄化或は、分留装置等としての利用も考えられる。
【背景技術】
【００１２】  光触媒も様々発見、開発され、多方面に利用されてきており、益々利用方法が広くなってくるとされており、社会への認識も広まるので、本案のような利用方法も需要が高くなると思はれる。
【発明が解決しようとする課題】
【００１３】  これまでの浄水、殺菌の方法は、塩素、オゾン等の薬物利用での浄水殺菌が主流であり、より健康を重視した浄水化システムが必要であるとお思はれる。
【課題を解決するための最良の形態】
【００１４】  課題解決の最良の形態は、［図面］による。
【産業上の利用可能性】
【００１５】  健康ブームにより、これまでの薬物による、浄水殺菌システムよりも良い方法が求められてきており、本システム装置は充分その解決の可能性を持っている。
【図面の簡単な説明】
【００１６】［図面］
【図１】  浄化システム説明図
【図２】  浄水パイプ説明図
【図３】  浄水パイプ説明スケッチ図
【図１】
2010253460.tif 000002
【図２】
2010253460.tif 000003
【図３】
2010253460.tif 000004
(57)【要約】【課題】焼き網の洗浄装置において、従前より各々の方法がとられ、また装置が使用されているが、１枚ごとの洗浄のために処理能力に問題があった。【解決手段】搬送ベルト上に焼き網1枚分の移動を規制する部材を設け、その上に複数枚の焼き網を重ねた状態にて、その上部より高圧の角度を変化させ、回転した洗浄水を噴射し通過させることにより、焼き網どうしが擦り合い研磨作用を発生させ数枚同時に洗浄可能となるため処理能力を向上させることができる。【選択図】図１
2010253429.tif 000002
【特許請求の範囲】
【請求項１】
搬送ベルト上に設けた焼き網の移動規制部材により担持された複数枚重ねた焼き網に対して、その上部より連続的または間欠的に噴射角度を変化させながら高圧水噴射ノズルから高圧洗浄水を噴射して通過する焼き網を洗浄することを特徴とする焼き網の洗浄方法。
【請求項２】
焼き網の移動規制部材を設けた搬送ベルトとその上部に噴射角度が自在に変化する高圧水噴射ノズルを備えたことを特徴とする焼き網の洗浄装置。
【請求項３】
前記焼き網の移動規制部材が焼き網1枚分を規制する固定ピンであることを特徴とする請求項2記載の焼き網の洗浄装置。
【発明の詳細な説明】
【技術分野】
【０００１】
本発明は、高圧水を噴射することによる焼き網の洗浄方法と、その装置に関するものである。
【背景技術】
【０００２】
従前より使用されている高圧水噴射による焼き網の洗浄装置としては、特許文献１にて示されるような定められた冶具に焼き網を装着し、その固定冶具を機械的動力にて回転させ、さらに噴射ノズル本体を回転させるために機械動力を使用するものがある。
【０００３】
また、搬送コンベアを使用したものとしては、特許文献２に示すようなものもあるが、噴射ノズル本体を回転揺動させる構造になっており処理としては１枚ごとの搬送構造になっている。
【０００４】
さらにワヤイヤーブラシを使用した装置として特許文献３に示された構造の洗浄装置があるが処理は１枚ごとの構造になっている。
【先行技術文献】
【特許文献】
【０００５】
【特許文献１】特開平１０−２９５５４９
【特許文献２】特開昭６３−１３００３２
【特許文献３】特開２０００−９３３１７
【発明の概要】
【発明が解決しようとする課題】
【０００６】
従来の高圧水噴射による洗浄装置は、装置全体の規模を小型化することに主眼を置いているため処理能力が低下し大量の焼き網を効率よく洗浄処理することの必要性に対しての対応に困難があった。さらに小型化をするために装置各部の要素が複雑な構造になり保守面の専門技術の必要性が発生する。
【０００７】
また、ワイヤーブラシ式においては直接焼き網に接触するためワイヤーブラシの消耗が生じ交換保守の作業の必要性が生じ消耗品の維持が必要となる。
【課題を解決するための手段】
【０００８】
前項に記載した問題点を解決するために、ノズル先端部にて直線状に噴射する高圧水を高速で回転させ、連続的に角度を変化させながら高圧水を噴射するノズルを使用したものである。
【０００９】
高圧水を回転させ噴射することにより焼き網全体に洗浄水を噴射することができ、放射状に拡散した高圧水の噴射に比較し、より効果の高い洗浄を可能にする。
【００１０】
前項に記載した噴射ノズルを搬送ベルトの上部に固定することによりノズルを揺動させることなく簡易的な構造にて高圧の洗浄水を噴射させることが可能となった。
【００１１】
さらに、搬送ベルト上の焼き網を移動規制する部材を1枚分規制する固定ピンにて1枚のみの焼き網を移動規制しその上に数枚重ねて高圧洗浄水を噴射することにより、重ねられた2枚目、3枚目が噴射された高圧のサイクロン状の洗浄水により焼き網自体を揺動させものである。
【００１２】
重ねた状態で揺動させることにより焼き網どうしが擦り合い研磨作用による洗浄効果を生み出し高圧水の通過による洗浄に合わせ、より効果の高い洗浄が可能となるものである。
【００１３】
搬送ベルト上の焼き網移動規制部材としは、他に焼き網の周囲を固定する形状のものでも、１枚のみ規制するものであれば同様の効果を得るこが可能である。
【発明の効果】
【００１４】
上述した解決手段により1本の噴射ノズルにて1度に数枚の焼き網の洗浄が可能となる。
【００１５】
さらに噴射ノズルを数列配置することにより処理枚数を増加することができ処理能力を高めることが可能となる。
【００１６】
また、装置の構造が簡略化され保守作業の必要性が低下する。
【図面の簡単な説明】
【００１７】
【図１】本発明の装置概要を側面より表した説明図である。          矢印は搬送ベルト１の進行方向を示す
【図２】図１におけるA−A線断面を表した説明図である。
【図３】本装置にて焼き網９の移動を表した説明図である。          １の矢印は搬送ベルトの進行方向を示す          ２の矢印はノズルの噴射状態を示す
【発明を実施するための形態】
【００１８】
本発明の実施形態は、図１にて示す移動規制部材２を設けた搬送ベルト１と、高圧水噴射ノズル３にて構成され、図２に示すように高圧水噴射ノズル３を３列に配置固定した。
【００１９】
付帯機材とし高圧水噴射ノズル３を固定した噴射カバー４と噴射された洗浄水の貯水シンク５、さらに給水タンク６を設け洗浄水を高圧水噴射ノズル３に供給する高圧水ポンプ７、搬送ベルトを駆動する搬送ベルトモータ８にての構造になっている。
【００２０】
図３にて示すよう、搬送ベルト１に設けた移動規制部材２の上に焼き網９を３枚重ねて設置することにより搬送ベルト２の進行方向に移動し高圧水噴射ノズル３の下を通過する。
【００２１】
通過する時に噴射される洗浄水の連続または間欠的に変化する角度と回転により、重ねて設置された焼き網９自体が揺動し、高圧水の通過と相互研磨作用にて付着物を除去し洗浄を行う。
【００２２】
作業形態は、図１にて搬送ベルト２の上流部にて作業員が手動手段で焼き網を数枚重ねた状態で設置し、洗浄された焼き網は搬送ベルト２の下流部にて金網のカゴ等に収容される・
【産業上の利用可能性】
【００２３】
一度使用した業務用焼き網を洗浄し、再使用のための供給を目的とする業務を事業の一環とする業種に方法と装置を提供する。
【符号の説明】
【００２４】
１  搬送ベルト
２  移動規制部材
３  高圧水噴射ノズル
４  噴射カバー
５  貯水シンク
６  給水タンク
７  高圧水ポンプ
８  搬送ベルトモータ
９  焼き網
【図１】
2010253429.tif 000003
【図２】
2010253429.tif 000004
【図３】
2010253429.tif 000005
(57)【要約】      （修正有）【課題】紙製、布製のものは汚れた際の洗浄が困難で廃棄しなければ清潔感が保てず環境破壊につながっている。また木製、竹製のものでは汚れにくくするために食器などが滑りやすくなっている。また厚みがあり収納スペースをとるだけでなく、その上に置いた食器などが取りにくい。そこで基材を薄くしようとすると、割れやすくなる。抗菌塗料は人体にいかなる影響を及ぼすか不安があった。【解決手段】夏目部と冬目部を有する木材の表面をその凸凹が顕著になるように表面処理した木製の板の表面に、撥水性と浸透性を有する自然系塗料を塗布した飲食用敷物であって、好ましくは凸凹の形状を持つことにより木材の表面が硬化しており、自然系塗料は着色透明である。【選択図】図１
2010253032.tif 000002
【特許請求の範囲】
【請求項１】
素材に針葉樹を用いたランチョンマットに用いる飲食用敷物。
【請求項２】
両表面に撥水性のある自然系塗料を塗布した前記請求項１記載の飲食用敷物。
【請求項３】
表面を研磨することにより、表面に凸凹の浮造り形状を持つ条溝を形成していることを特徴とする前記請求項１または請求項２記載の飲食用敷物。
【請求項４】
夏目部と冬目部を有する木材の表面をその凸凹が顕著になるように表面処理した木製の板の表面に、撥水性と浸透性を有する自然系塗料を塗布することを特徴とする飲食用敷物。
【請求項５】
凸凹の浮造り形状をもつことにより、前記木材の表面が硬化していることを特徴とする前記請求項４記載の飲食用敷物。
【請求項６】
前記木材は柾目挽きした薄板を、同一平面状に複数枚接着し構成されていることを特徴とする、前記請求項４または請求項５記載の飲食用敷物。
【請求項７】
前記自然系塗料は着色透明であることを特徴とする、前記請求項４、請求項５または請求項６記載の飲食用敷物。
【発明の詳細な説明】
【技術分野】
【０００１】
本発明は、木製のランチョンマットに好適な飲食用敷物に関するものである。
【背景技術】
【０００２】
従来飲食用の敷物、例えばランチョンマットとしては特許文献１に示されるような、紙、樹脂などの薄い板が用いられていた。また、木製の板を利用する場合は、一般に工芸品のように厚い板に彫刻などを施して用いるが、その表面には特許文献２に記載されるように、表面に抗菌性の塗料を塗布して用いることが通常であった。
【先行技術文献】
【特許文献】
【０００３】
【特許文献１】特開２００３−３８３６３号公報
【特許文献２】特開平６−１９８６０７号公報
【発明の概要】
【発明が解決しようとする課題】
【０００４】
しかしながら紙製、布製のものは汚れた際の洗浄が困難であり、原則的に、１回ごとに廃棄しなければ清潔感が保てず環境破壊につながっている。また木製、竹製のものでは汚れにくくするために、ウレタン樹脂性の塗料を敷物の表面に塗布してあり水滴のついた食器などが滑りやすくなっている。また厚みがあり収納スペースをとるだけでなく、その上に置いた食器などが取りにくい。
【０００５】
そこで基材を薄くしようとすると、割れやすくなる。さらには悪戯に抗菌塗料を塗布すると、その上に飲食物が落ちたようなときに子供などがそれを口にすることがあり、木材の欠けや塗料のはがれたものが食べこぼしと共に口に入ることがあり、人体にいかなる影響を及ぼすか不安があった。以上のような欠点に鑑み、撥水性があり滑りにくく、また可能な限り薄くしながらも表面の強度を確保した木製ランチョンマットに適した飲食用敷物の製作を目的とした。
【課題を解決するための手段】
【０００６】
本発明に係る木製ランチョンマットに適した飲食用敷物は、以上のような課題を解決するものであって、次のようなものである。即ち、素材に針葉樹を用いたランチョンマット等の飲食用敷物であり、より好ましくは、両表面に撥水性のある自然系塗料を塗布し、および、または表面を研磨することにより、凸凹の浮造り形状の条溝を形成したものである。
【０００７】
また本発明は、夏目部と冬目部を有する木材の表面をその凸凹が顕著になるように表面処理した木製の板の表面に、撥水性と浸透性を有する自然系塗料を塗布した飲食用敷物であって、好ましくは凸凹の形状を持つことにより木材の表面が硬化しており、更には、木材は柾目挽きした薄板を、同一平面状に複数枚接着して構成されており、自然系塗料は着色透明である。
【発明の効果】
【０００８】
本発明は、針葉樹の板を用いており、薄くしても強化処理を行うことができる。その強化処理とは表面を研磨することによって凸凹の浮造り形状をもたせ、条溝を作るものである。また飲食用敷物として両表面に撥水性のある自然系塗料を塗布することによって耐水性が向上し、板の表面強度も向上する。
【０００９】
また本発明にあっては、木板の夏目部と冬目部を有する木材の表面を、その凸凹が顕著になるように表面処理しており、薄くても表面強度が高く、表面に撥水性と浸透性を有する自然系塗料を塗布した為、安全性、耐水性が高く、しかもより表面強度が上がっている。このような飲食用敷物は、木材を柾目挽きした薄板を、同一平面状に複数枚接着して構成することで、端材を有効活用することも出来、また自然系塗料に自然系塗料を用いることにより、美的外観も一層向上させることが出来る。
【図面の簡単な説明】
【００１０】
【図１】本発明実施例の斜視図である。
【発明を実施するための形態】
【００１１】
本発明にあっては、端的には両表面に浮造り加工を施してあり、更に自然系塗料が塗布されている。以下詳細に実施例を説明する。
【実施例】
【００１２】
図において１は、例えばおよそ樹齢１００年の杉等の端材から得られ杉材であって、例えば厚さ４ｍｍあるが、厚みは２ｍｍ〜６ｍｍ程度に、浮造り加工の程度、使い勝手などを考慮して選択すればよい。杉材は冬目部と夏目部を有する木材であって、好ましくは柾目挽きすることで木目が強調される面を出しやすい。その表面をその凹凸が顕著になるように浮造り加工にて表面処理している。冬目部分は浮き立たされるようになり、夏目部分は抜け落ちない程度に削り取られている。また１枚の杉板のみから製作するのではなく、高級家具などに用いた端材を同一平面状に複数枚接着して、実質上１枚の薄い板に構成することが出来る。
【００１３】
またこの図において、２は杉板１の表面に塗布された撥水性と浸透性を有する自然系塗料で、例えば商品名オスモカラーのエキストラクリアである。このような塗料は自然の植物油を主成分としており、人体に対して実質的な害がないばかりではなく、色調を選ぶことが出来、浮造り加工形状のように表面を凸凹に浮き立たせた上で着色することも可能である。
【産業上の利用可能性】
【００１４】
本発明は上述のように、安全で使いやすい飲食用敷物が提供できるので、いわゆるランチョンマットやコースターに利用できる。
【符号の説明】
【００１５】
１  杉材
２  自然系塗料
【図１】
2010253032.tif 000003
(57)【要約】【課題】    銭湯背景画を一搬家庭やホテル等の浴室でも楽しめるようにする。【解決手段】  浴室１の壁面２に、水だけで簡単に貼れるように特殊な接着剤を施した絵画３を貼付し又、その絵画に防水の為、ユポ等の合成樹脂を用いたものである。【選択図】図１
2010253915.tif 000002
【特許請求の範囲】
【請求項１】
絵画の裏側に水だけで貼れる特殊な接着剤を施し、浴室等の壁面に簡単に貼付できるようにした浴室絵画板。
【請求項２】
防水性を高める為に、ユポ等の合成樹脂を用いた浴室絵画板。
【発明の詳細な説明】
【技術分野】
【０００１】本発明は、絵画の裏側に水だけで貼れる特殊な接着剤を施し、浴室の壁面に簡単に貼付できるようにし、又防水の為ユポ等の合成樹脂を用いた浴室絵画板である。
【背景技術】
【０００２】従来、銭湯等で銭湯背景画なるものがあるが、一搬家庭やホテル等の浴室用は、無かった。
【発明の開示】
【発明が解決しようとする課題】
【０００３】銭湯の大壁面にある、いわゆる銭湯背景画を一搬家庭やホテル等の浴室でも楽しめる様にする。
【課題を解決する為の手段】
【０００４】絵画の裏側に水だけで貼れる特殊な接着剤を施し、浴室の壁面に簡単に貼付できるようにし、又防水の為ユポ等の合成樹脂を用いたものである。
【発明の効果】
【０００５】この様にすれば、銭湯背景画を一搬家庭やホテル等の浴室でも楽しむことができる。
【実施例】
【０００６】本発明は、銭湯背景画を一搬家庭やホテル等の浴室でも楽しめるようにしたもので、それを図面について説明すれば、浴室１の壁面２に、浴室絵画板３を貼付したものである。
【図面の簡単な説明】
【０００７】
【図１】浴室の斜視図である。
【符号の説明】
【０００８】１  浴室
２  浴室壁面
３  浴室絵画板
【図１】
2010253915.tif 000003